(57)【要約】【課題】  各地の電力施設における給電記録をコンピュータにより短時間かつ正確に集約整理するための給電記録管理方法を提供する。【解決手段】  各電力施設における個々の給電記録データを行列位置で指定できる表計算形式の日報ファイルと月報ファイルとに集計して作成するステップと、同じ電力施設について日報ファイル月報ファイルに同じ名を付与し、日報ファイルを年度・月・日付の順にディレクトリが作成された日報ディレクトリ系統中の最下層の該当日付ディレクトリに格納するとともに、月報ファイルを前記年度ディレクトリの下層に、月報、月次の順にディレクトリが作成された月報ディレクトリ系統中の最下層の該当月次ディレクトリに格納するステップと、指定された日報ファイルあるいは月報ファイルの指定された行列位置にあるデータを取得するステップと、取得したデータを集計用シートの指定の行列位置に複写するステップとを含んでいる。【選択図】  図１
2005190197.tif 000002
【特許請求の範囲】
【請求項１】
各地の発電所や変電所などの電力施設において随時記録されている給電記録データをコンピュータにより集約して整理・管理する給電記録管理方法であって、
各電力施設における給電記録データについて、個々のデータを行列位置で指定できるように集計した表計算形式のファイルに作成する際、日単位で集計した日報ファイルと、月単位で集計した月報ファイルとを作成する給電記録ファイル作成ステップと、
同じ電力施設については毎日作成される日報ファイルと毎月作成される月報ファイルに全て同じ名を付与し、日報ファイルについては、その作成年月日に応じて、年度・月・日付の順にディレクトリが作成された日報ディレクトリ系統中の最下層の日付ディレクトリに格納するとともに、月報ファイルについては、その集計年月に応じて、前記年度ディレクトリの下層に、月報、月次の順にディレクトリが作成された月報ディレクトリ系統中の最下層の月次ディレクトリに格納するファイル格納ステップと、
ディレクトリとファイル名と行列位置とを指定して、指定のディレクトリにある指定の日報ファイルあるいは月報ファイルの指定の行列位置にあるデータを取得するデータ取得ステップと、
前記データ取得ステップにより取得したデータを表計算形式のデータ集計用シートファイルの指定の行列位置に複写するデータ集計ステップと、
を含むことを特徴とする給電記録管理方法。
【請求項２】
請求項１において、データ集計用シートにおける所定の行列範囲に記載されているデータをグラフ化して提示するステップを含むことを特徴とする給電記録管理方法。
【請求項３】
各地の発電所や変電所などの電力施設において随時記録されている給電記録データを集約して整理・管理するコンピュータであって、
各電力施設における給電記録データについて、個々のデータを行列位置で指定できるように集計した表計算形式のファイルに作成する際、日単位で集計した日報ファイルと、月単位で集計した月報ファイルとを作成する手段と、
同じ電力施設については毎日作成される日報ファイルと毎月作成される月報ファイルに全て同じ名を付与し、日報ファイルについては、その作成年月日に応じて、年度・月・日付の順にディレクトリが作成された日報ディレクトリ系統中の最下層の日付ディレクトリに格納するとともに、月報ファイルについては、その集計年月に応じて、前記年度ディレクトリの下層に、月報、月次の順にディレクトリが作成された月報ディレクトリ系統中の最下層の月次ディレクトリに格納する手段と、
ディレクトリとファイル名と行列位置とを指定して、指定のディレクトリにある指定の日報ファイルあるいは月報ファイルの指定位置にある記録を取得する手段と、
当該手段により取得した記録を表計算形式のデータ集計用シートファイルの指定の行列位置に複写する手段と、
を含むことを特徴とする給電記録管理装置。
【発明の詳細な説明】
【技術分野】
【０００１】
この発明は、発電所や変電所など、各地の電力施設における給電記録を集約管理する方法に関する。  
【背景技術】
【０００２】
新規電力施設の建設には様々な調査・手続が必要である。建設候補地の現地調査、施設の基本設計から始まり、用地交渉、地元説明、官庁手続など長期間にわたる様々な手順／手続を経て、電力施設の建設可否が決定される。
【０００３】
電力施設建設の可否を決める重要な要件は、電力需要の動向である。既存の電力施設における最大電力の推移、配電用変圧器の利用率、発電所の平均可能電力量などの情報を集約・整理して、電力需要の動向を予測し、新規電力施設が必要であるのか否か、必要であるならば、規模や建設地をどうするのか、などを検討する。
【０００４】
現在、電力需要を予測する上で必要な情報は、各地の電力施設で逐次記録されている給電記録から抽出している。そして、各地の電力施設における給電記録を通信ネットワークを介して集信する給電情報集配信装置（ＳＤＸ）と呼ばれるコンピュータシステムがすでに稼働している。
【発明の開示】
【発明が解決しようとする課題】
【０００５】
しかしながら、随時記録されている給電記録は、各地の電力施設がそれぞれ受け持つ電力供給地域に対する電力供給動向を調査するためのものであり、ＳＤＸが取り扱う給電記録は、各電力施設ごとにファイル化されたものとなっている。
【０００６】
そのため、新規の電力施設の建設計画が立案されると、各地の電力施設ごとに存在する個別のファイルから特定の情報を抽出・集約・整理し、候補地や規模などを決定する。この集約整理業務は、各地の給電記録ファイルから所望の情報を人手によって読み取り、逐一その情報を手入力により１つのデータに移管して集約する。
【０００７】
すなわち、給電記録のデータ形式やその記録フォーマットこそ統一されてはいるものの、いつ、どの施設の給電記録なのかを逐一調査し、多大な時間と経費を掛けて給電記録の記録内容を移管先のデータフォーマットに合わせて複写する必要があった。
【０００８】
これでは、多大な時間と経費が掛かるだけでなく、情報移管の際にも誤入力の可能性があり、正確にデータ移管ができないという問題もあった。データの誤入力により新規電力施設が不適切な計画に基づいて建設されてしまえば、その損害は甚大なものとなる。
【課題を解決するための手段】
【０００９】
上記課題に鑑み本発明を創作した。本発明の目的は、各地の電力施設にて記録されている給電記録を短時間、かつ正確に集約整理するための方法を提供することにある。
【００１０】
そして本発明は、各地の発電所や変電所などの電力施設において随時記録されている給電記録データをコンピュータにより集約して整理・管理する給電記録管理方法であって、各電力施設における給電記録データについて、個々のデータを行列位置で指定できるように集計した表計算形式のファイルに作成する際、日単位で集計した日報ファイルと、月単位で集計した月報ファイルとを作成する給電記録ファイル作成ステップと、同じ電力施設については毎日作成される日報ファイルと毎月作成される月報ファイルに全て同じ名を付与し、日報ファイルについては、その作成年月日に応じて、年度・月・日付の順にディレクトリが作成された日報ディレクトリ系統中の最下層の日付ディレクトリに格納するとともに、月報ファイルについては、その集計年月に応じて、前記年度ディレクトリの下層に、月報、月次の順にディレクトリが作成された月報ディレクトリ系統中の最下層の月次ディレクトリに格納するファイル格納ステップと、ディレクトリとファイル名と行列位置とを指定して、指定のディレクトリにある指定の日報ファイルあるいは月報ファイルの指定の行列位置にあるデータを取得するデータ取得ステップと、前記データ取得ステップにより取得したデータを表計算形式のデータ集計用シートファイルの指定の行列位置に複写するデータ集計ステップとを含んでいる。
【００１１】
また、前記データ集計用シートにおける所定の行列範囲に記載されているデータをグラフ化して提示するステップを含む給電記録管理方法とすることもできる。なお、前記給電記録管理方法を実施するコンピュータも本発明の範囲であり、各電力施設における給電記録データについて、個々のデータを行列位置で指定できるように集計した表計算形式のファイルに作成する際、日単位で集計した日報ファイルと、月単位で集計した月報ファイルとを作成する手段と、同じ電力施設については毎日作成される日報ファイルと毎月作成される月報ファイルに全て同じ名を付与し、日報ファイルについては、その作成年月日に応じて、年度・月・日付の順にディレクトリが作成された日報ディレクトリ系統中の最下層の日付ディレクトリに格納するとともに、月報ファイルについては、その集計年月に応じて、前記年度ディレクトリの下層に、月報、月次の順にディレクトリが作成された月報ディレクトリ系統中の最下層の月次ディレクトリに格納する手段と、ディレクトリとファイル名と行列位置とを指定して、指定のディレクトリにある指定の日報ファイルあるいは月報ファイルの指定位置にある記録を取得する手段と、当該手段により取得した記録を表計算形式のデータ集計用シートファイルの指定の行列位置に複写する手段とを含む給電記録管理装置とすることができる。
【発明の効果】
【００１２】
本発明の給電記録管理方法によれば、各地の電力施設にて記録されている給電記録を短時間、かつ正確に集約整理することが可能となった。それによって、例えば、新規電力施設の建設の際に重要な要件となる電力需要の動向など、従来手作業で行っていた煩雑で長時間掛かっていた各種分析作業を強力に支援することができる。
【発明を実施するための最良の形態】
【００１３】
＝＝＝ファイル格納構造＝＝＝
本発明の実施例における給電記録管理方法では、電力施設ごとの給電記録データがＳＤＸに随時集信され、ＳＤＸではその給電記録を施設ごとに日単位あるいは月単位で集計してCSV形式のファイルに作成し、そのファイルを光磁気ディスク（ＭＯ）に格納するものとしている。そして、そのＭＯに記録されているファイルを周知の表計算プログラムを用いて集計・整理して管理することとしている。ここで、日単位の給電記録データ群に対応するファイルを日報ファイルとし、月単位の給電記録データ群を月報ファイルと呼ぶことにする。
【００１４】
図１にＭＯにおけるファイルの格納構造を示した。周知のディレクトリ構造における最下層にのみ各電力施設から日々集信された給電記録に基づく日報あるいは月報ファイルが格納されている。この例では、ルートディレクトリ１から下層へ年・月・日付の順にディレクトリ（２〜４）が構成された系統（日報ディレクトリ系統）と、ディレクトリがルートディレクトリ１から下層へ年・月報・月の順に構成された系統（月報ディレクトリ系統：２，６，７）とが存在する。
【００１５】
ＳＤＸに集信される日報ファイル５は、そのファイル作成年月日に応じて該当の日付ディレクトリ４に格納されるともに、月報ファイル８が該当の月次ディレクトリ７に格納される。なお、これらファイル（５，８）の名前は、一つの電力施設について一つのファイル名が対応する。すなわち、同じ名の日報ファイル５と月報ファイル８とが存在することになり、格納されるディレクトリによってそのデータ内容が分かるようになっている。
【００１６】
例えば、ある名前のファイル名がある日付ディレクトリ４にあれば、そのファイルの内容はその日付に記録された給電記録に対応する日報ファイル５であり、同じ名のファイルでもある月次ディレクトリ７にあれば、そのファイルの内容はその月を通した給電記録（月報ファイル）８となる。
【００１７】
そして、本実施例の給電記録管理方法に基づいて給電記録を集計・整理する表計算プログラムがパーソナルコンピュータなどの汎用のコンピュータにインストールされている。このプログラムはCSVファイルを扱えるとともに、マクロ実行機能を備えて自動計算処理や自動データ収集処理が行える。
【００１８】
＝＝＝データ集計方法＝＝＝
本実施例では、CSV形式の日報（月報）ファイルを所定の表計算プログラムにより読み込んだとき、所定の行列に相当するセルには所定の項目についての記録が記載されるものとする。図２〜５に表計算プログラムの処理を表計算用シートの概略図によって示した。  この例では表計算プログラム用データファイルは、複数のシートを含んだ形式（以下、ブック形式）のファイルであり、このブックに、設定用シート（図２：１０，図４：３０）とデータ表示用シート（図３：２０，図５：４０）とが含まれている。
【００１９】
なお、設定用シート（１０，３０）およびデータ表示用シート（２０，４０）は、日報（月報）ファイルの集計の仕方によりＡ（１０，２０）とＢ（３０，４０）とがある。集計方法Ａでは、ディレクトリを指定し、そのディレクトリ内にある日報（月報）ファイルを集計し、集計方法Ｂでは、複数のディレクトリから同一電力施設に関するファイルごとに集計する。
【００２０】
＝＝＝集計方法Ａ＝＝＝
集計方法Ａの具体例として、ある電力施設に関する日報ファイルを集計する例を挙げる。設定用シートＡ（図２：１０）において、日付ディレクトリ１２と、ある電力施設に該当するファイル名１３を所定のセルに記入する。また日報ファイルにおいて特定の項目についての情報が記載されている行列情報（セル位置）１４を設定用シートＡ１０の所定のセルに記入する。また、この例では１行が一つのデータ系列１１に対応しており、各データ系列１１はある日のある電力施設に関する日報ファイルの内容に対応している。
【００２１】
設定用シートＡ１０には所定のマクロを実行させるための「実行Ａ」ボタン１５が配設されており、日報ファイル（１２，１３）とセル位置１４とを指定した上でこのボタン１５を指示すると、データ系列１１ごとに、指定の日報ファイルにおける指定セル位置にあるデータを取得し、データ表示用シートＡ（図３：２０）の所定セルにそのデータ２２を自動入力する。
【００２２】
一方、データ表示用シートＡ２０では、別ファイルとして用意された集計用シートについてのファイル格納位置やそのファイル名２５を指定するとともに、日報ファイルから取得されたデータ２２ごとにその集計用シートのセル位置情報（コピー先セル）２３とを対応付けして記入することとしている。そして、このデータ表示用シートＡ２０におけるマクロ実行用「コピー実行」ボタン２６を指示すると、日報ファイルから取得したデータを指定の集計用シートの対応するコピー先セルに複写する。
【００２３】
＝＝＝集計方法Ｂ＝＝＝
つぎに集計方法Ｂを説明する。ここでは、ある年度における所定の電力施設に関する月報ファイルを一括して集計する例を挙げる。設定用シートＢ（図４：３０）において、ある年度における月報ディレクトリ名３１と、集計したい月次３２とを指定する。この例では「全部」すなわちその年度の全月次が指定されている。そして、所定の電力施設に該当するファイル名３３を所定のセルに記入する。また月報ファイルにおいて特定の項目についての情報が記載されている行列情報（セル位置）３４を設定用シートＢ３０の所定のセルに記入する。
【００２４】
設定用シートＢ３０には所定のマクロを実行させるための「実行Ｂ」ボタン３５が配設されており、ファイル名３３とセル位置情報３４とを指定した上でこのボタン３５を指示すると、指定のディレクトリ下にある指定の名のファイル全てについて、指定のセル位置にあるデータを取得してそのデータをデータ表示用シートＢ（図５：４０）の所定セルに自動入力する。
【００２５】
また、データ表示用シートＢ４０では、別ファイルとして用意された先の集計用シートについてのファイル格納位置やそのファイル名４５を指定するとともに、データ表示用シートＢ４０に記入されたデータ４１ごとにその集計用シートのセル位置情報（コピー先セル）４２とを対応付けして記入することとしている。
【００２６】
なお、この集計方法Ｂでは、同じ名の複数のファイルから項目ごとのデータを取得している。そのため、項目別に取得データとコピー先セルとの対応表４３が作成される。すなわち、項目の数だけこの対応表４３が存在する。そして、データ表示用シートＢ４０におけるマクロ実行用「コピー実行」ボタン４４を指示すると、指定の名のファイルから取得したデータ４１を指定の集計用シートの対応するコピー先セル４２に複写する。
【００２７】
＝＝＝集計結果＝＝＝
図６に上記方法ＡおよびＢによって集計されたデータを所定の体裁の表に纏めたものを示した。この集計シート５０では、各電力施設における年度別の各種情報が一覧表示されている。また、図７にこの一覧表における所定のデータ範囲をグラフ化したものを示した。この例ではある地域にある電力施設全体での各種給電記録に基づく集計結果がグラフ６０により視覚化されている。
【図面の簡単な説明】
【００２８】
【図１】本発明の実施例における給電記録管理方法に基づくファイル格納構造の概略図である。
【図２】上記給電管理方法に基づいて給電記録を集計する際の表計算形式の設定シートＡの概略図である。
【図３】上記給電管理方法に基づいて給電記録を集計する際の表計算形式のデータ表示シートＡの概略図である。
【図４】上記給電管理方法に基づいて給電記録を集計する際の表計算形式の設定シートＢの概略図である。
【図５】上記給電管理方法に基づいて給電記録を集計する際の表計算形式のデータ表示シートＢの概略図である。  ・・・
【図６】上記給電管理方法に基づいて給電記録が集計される表計算形式の集計シートの概略図である。
【図７】上記集計シートに記入されたデータに基づいて作成されるグラフの概略図である。
【符号の説明】
【００２９】
１０  設定シートＡ
２０  データ表示シートＡ
３０  設定シートＢ
４０  データ表示シートＢ
５０  集計シート
６０  グラフ
【図１】
2005190197.tif 000003
【図２】
2005190197.tif 000004
【図３】
2005190197.tif 000005
【図４】
2005190197.tif 000006
【図５】
2005190197.tif 000007
【図６】
2005190197.tif 000008
【図７】
2005190197.tif 000009